(57)【要約】【課題】小型化及び部品点数の減少を図ることができ、しかも、アクセルペダルの踏み込み時のアクセルペダルの踏み込み過ぎを抑止できて急発進を防止でき、その上、摩耗の虞もないアクセルペダル装置及びこれに用いられるダンパを提供すること。【解決手段】アクセルペダル装置１は、フレーム２にＲ１方向及びＲ２方向に回動自在に取り付けらたアクセルペダル３と、アクセルペダル３を初期回動位置に復帰させる復帰力を発生する復帰力発生手段４と、アクセルペダル３の正逆回動によりＲ１方向及びＲ２方向に正逆回転される回転軸５と、回転軸５を介してアクセルペダル３に連結されていると共にアクセルペダル３の正逆回動に対して抵抗力を与えるダンパ６とを具備している。【選択図】図１
2008114668.tif 000002
【特許請求の範囲】
【請求項１】
踏み込み操作により正逆回動されるべく、フレームに回動自在に取り付けられるようになっているアクセルペダルと、このアクセルペダルを初期回動位置に復帰させる復帰力を発生する復帰力発生手段と、アクセルペダルの正逆回動により正逆回転される回転軸と、この回転軸を介してアクセルペダルに連結されていると共にアクセルペダルの正逆回動に対して抵抗力を与えるダンパとを具備しており、ダンパは、フレームに固定されるようになっているハウジングと、このハウジング内に設けられていると共に回転軸の一端部が嵌合された孔を有した回転体と、ハウジング内に当該ハウジングに螺合して設けられた蓋部材と、ハウジング内において当該ハウジングと回転体との間の隙間に配されたシリコーン系粘弾性体とを具備しており、ハウジングは、円筒状の大径本体部と、この大径本体部の一方の端部に一体的に形成された円環状部と、この円環状部に一方の端部で一体的に形成されていると共に他方の端部に底部を一体的に有した円筒状の有底小径本体部と、大径本体部の他方の端部に一体的に形成された鍔部と、円環状部の円環状内面に一体的に形成されていると共に軸方向に突出した円環状突起部とを具備しており、回転体は、底部を一方の端部に一体的に有していると共に一方の端部側で有底小径本体部内に回転自在に配された円筒状の有底大径本体部と、この有底大径本体部の他方の端部に一体的に形成された円筒状の小径本体部と、有底大径本体部の一方の端部と他方の端部との間において当該有底大径本体部の外面に当該外面から径方向外方向に突出して一体的に形成されていると共に一方の円環状側面でハウジングの円環状突起部に摺動自在に接触した円環状突起板部とを具備しており、蓋部材は、外面でハウジングの大径本体部の内面に螺合した円筒状の大径本体部と、一方の端部で当該蓋部材の大径本体部の一方の端部に一体的に形成されている円環状部と、一方の端部で当該蓋部材の円環状部の他方の端部に一体的に形成されている共に内面で回転体の有底大径本体部の外面に摺動自在に接触した円筒状の小径本体部と、一方の端部で当該蓋部材の小径本体部の他方の端部に段部を介して一体的に形成されている共に内面で回転体の小径本体部の外面に摺動自在に接触した円筒状の支持部と、蓋部材の円環状部の外面に一体的に形成されていると共に軸方向に突出して回転体の円環状突起板部の他方の円環状側面に摺動自在に接触した円環状突起部と、一方の端部では、蓋部材の大径本体部の内面に、他方の端部では、蓋部材の小径本体部及び支持部の外面に夫々一体的に形成されていると共に周方向に互いに離間して配された複数の補強板部とを具備しており、シリコーン系粘弾性体は、少なくとも、ハウジングの円環状突起部及び蓋部材の円環状突起部の径方向の外側であって、円環状突起板部の一方及び他方の円環状側面並びに環状円周面と、ハウジングの大径本体部の内面、ハウジングの円環状部の円環状内面及び蓋部材の円環状部の外面との間の隙間に配されているアクセルペダル装置。
【請求項２】
請求項１に記載のアクセルペダル装置に用いられるダンパであって、フレームに固定されるようになっているハウジングと、このハウジング内に設けられていると共に回転軸の一端部が嵌合された孔を有した回転体と、ハウジング内に当該ハウジングに螺合して設けられた蓋部材と、ハウジング内においてハウジングと回転体との間の隙間に配されたシリコーン系粘弾性体とを具備しており、ハウジングは、円筒状の大径本体部と、この大径本体部の一方の端部に一体的に形成された円環状部と、この円環状部に一方の端部で一体的に形成されていると共に他方の端部に底部を一体的に有した円筒状の有底小径本体部と、大径本体部の他方の端部に一体的に形成された鍔部と、円環状部の円環状内面に一体的に形成されていると共に軸方向に突出した円環状突起部とを具備しており、回転体は、底部を一方の端部に一体的に有していると共に一方の端部側で有底小径本体部内に回転自在に配された円筒状の有底大径本体部と、この有底大径本体部の他方の端部に一体的に形成された円筒状の小径本体部と、有底大径本体部の一方の端部と他方の端部との間において当該有底大径本体部の外面に当該外面から径方向外方向に突出して一体的に形成されていると共に一方の円環状側面でハウジングの円環状突起部に摺動自在に接触した円環状突起板部とを具備しており、蓋部材は、外面でハウジングの大径本体部の内面に螺合した円筒状の大径本体部と、一方の端部で当該蓋部材の大径本体部の一方の端部に一体的に形成されている円環状部と、一方の端部で当該蓋部材の円環状部の他方の端部に一体的に形成されている共に内面で回転体の有底大径本体部の外面に摺動自在に接触した円筒状の小径本体部と、一方の端部で当該蓋部材の小径本体部の他方の端部に段部を介して一体的に形成されている共に内面で回転体の小径本体部の外面に摺動自在に接触した円筒状の支持部と、蓋部材の円環状部の外面に一体的に形成されていると共に軸方向に突出して回転体の円環状突起板部の他方の円環状側面に摺動自在に接触した円環状突起部と、一方の端部では、蓋部材の大径本体部の内面に、他方の端部では、蓋部材の小径本体部及び支持部の外面に夫々一体的に形成されていると共に周方向に互いに離間して配された複数の補強板部とを具備しており、シリコーン系粘弾性体は、少なくとも、ハウジングの円環状突起部及び蓋部材の円環状突起部の径方向の外側であって、円環状突起板部の一方及び他方の円環状側面並びに環状円周面と、ハウジングの大径本体部の内面、ハウジングの円環状部の円環状内面及び蓋部材の円環状部の外面との間の隙間に配されているダンパ。
【発明の詳細な説明】
【技術分野】
【０００１】
本発明は、トラクタ等の作業機の静油圧式無段階変速装置の前進及び後進用のアクセルペダルの正逆回動に適宜の制動を与えるアクセルペダル装置及びこれに用いられるダンパに関する。
【背景技術】
【０００２】
【特許文献１】特開２００４−２１１７７６号公報
【０００３】
例えば特許文献１には、図７に示すように、踏み込み操作によりＲ１方向及びＲ２方向に正逆回動されるアクセルペダル（変速ペダル）３と、アクセルペダル３に連係アーム２０２、連係ロッド２０３及び天秤アーム２０４を介して連結されたダンパ２０５と、アクセルペダル３に連係アーム２０２、連係ロッド２０３、天秤アーム２０４、カム板２０６及び揺動アーム２０７を介して連結された引張コイルばね２０８とを具備していると共にトラクタ等の作業機に用いられるアクセルペダル装置２０９が提案されている。
【発明の開示】
【発明が解決しようとする課題】
【０００４】
斯かるアクセルペダル装置２０９では、引張コイルばね２０８及びダンパ２０５が多くの部材を介してアクセルペダル３に連結されているため、アクセルペダル装置の小型化や部品点数の減少を図り難い。
【０００５】
また、アクセルペダル装置２０９のようなトラクタ等の作業機用のアクセルペダル装置は、アクセルペダルの踏み込み時のアクセルペダルの踏み込み過ぎの抑止、アクセルペダルの踏み込み位置の維持に要する操作者の踏み込み力の軽減、アクセルペダルの踏み込み解除におけるトラクタ等の過度の急制動の防止を図る観点から、アクセルペダルの踏み込み時に適度な抵抗力を生じさせることができて急発進を防止でき、アクセルペダルの踏み込み位置を維持することができるペダル踏み込み力の範囲を大きくすることができ、しかも、アクセルペダルの踏み込み解除におけるアクセルペダルの急速な逆回動に対しては適度な抵抗力を生じさせることができるようになっているのが望ましい。
【０００６】
本発明は、前記諸点に鑑みてなされたものであり、その目的とするところは、小型化及び部品点数の減少を図ることができ、しかも、アクセルペダルの踏み込み時のアクセルペダルの踏み込み過ぎを抑止できて急発進を防止でき、アクセルペダルの踏み込み位置の維持に要する操作者の踏み込み力を軽減でき、加えて、アクセルペダルの踏み込み解除においてトラクタ等の過度の急制動を防止でき、その上、摩耗の虞もない上に、漏出防止のためのシールを省き得るアクセルペダル装置及びこれに用いられるダンパを提供することにある。
【課題を解決するための手段】
【０００７】
本発明のアクセルペダル装置は、踏み込み操作により正逆回動されるべく、フレームに回動自在に取り付けられるようになっているアクセルペダルと、このアクセルペダルを初期回動位置に復帰させる復帰力を発生する復帰力発生手段と、アクセルペダルの正逆回動により正逆回転される回転軸と、この回転軸を介してアクセルペダルに連結されていると共にアクセルペダルの正逆回動に対して抵抗力を与えるダンパとを具備しており、ここで、ダンパは、フレームに固定されるようになっているハウジングと、このハウジング内に設けられていると共に回転軸の一端部が嵌合された孔を有した回転体と、ハウジング内に当該ハウジングに螺合して設けられた蓋部材と、ハウジング内において当該ハウジングと回転体との間の隙間に配されたシリコーン系粘弾性体とを具備しており、ハウジングは、円筒状の大径本体部と、この大径本体部の一方の端部に一体的に形成された円環状部と、この円環状部に一方の端部で一体的に形成されていると共に他方の端部に底部を一体的に有した円筒状の有底小径本体部と、大径本体部の他方の端部に一体的に形成された鍔部と、円環状部の円環状内面に一体的に形成されていると共に軸方向に突出した円環状突起部とを具備しており、回転体は、底部を一方の端部に一体的に有していると共に一方の端部側で有底小径本体部内に回転自在に配された円筒状の有底大径本体部と、この有底大径本体部の他方の端部に一体的に形成された円筒状の小径本体部と、有底大径本体部の一方の端部と他方の端部との間において当該有底大径本体部の外面に当該外面から径方向外方向に突出して一体的に形成されていると共に一方の円環状側面でハウジングの円環状突起部に摺動自在に接触した円環状突起板部とを具備しており、蓋部材は、外面でハウジングの大径本体部の内面に螺合した円筒状の大径本体部と、一方の端部で当該蓋部材の大径本体部の一方の端部に一体的に形成されている円環状部と、一方の端部で当該蓋部材の円環状部の他方の端部に一体的に形成されている共に内面で回転体の有底大径本体部の外面に摺動自在に接触した円筒状の小径本体部と、一方の端部で当該蓋部材の小径本体部の他方の端部に段部を介して一体的に形成されている共に内面で回転体の小径本体部の外面に摺動自在に接触した円筒状の支持部と、蓋部材の円環状部の外面に一体的に形成されていると共に軸方向に突出して回転体の円環状突起板部の他方の円環状側面に摺動自在に接触した円環状突起部と、一方の端部では、蓋部材の大径本体部の内面に、他方の端部では、蓋部材の小径本体部及び支持部の外面に夫々一体的に形成されていると共に周方向に互いに離間して配された複数の補強板部とを具備しており、シリコーン系粘弾性体は、少なくとも、ハウジングの円環状突起部及び蓋部材の円環状突起部の径方向の外側であって、円環状突起板部の一方及び他方の円環状側面並びに環状円周面と、ハウジングの大径本体部の内面、ハウジングの円環状部の円環状内面及び蓋部材の円環状部の外面との間の隙間に配されている。
【０００８】
本発明のアクセルペダル装置によれば、回転軸を介してアクセルペダルに連結されていると共にアクセルペダルの正逆回動に対して抵抗力を与えるダンパが、フレームに固定されるようになっているハウジングと、このハウジング内に設けられていると共に回転軸の一端部が嵌合された孔を有した回転体と、ハウジング内に当該ハウジングに螺合して設けられた蓋部材と、ハウジング内において当該ハウジングと回転体との間の隙間に配されたシリコーン系粘弾性体とを具備したものであるために、多くの部材を介さずにダンパをアクセルペダルに連結することができ、アクセルペダルの正逆回動に基づく回転軸の正逆回転によりダンパを作動させることができ、而して、小型化及び部品点数の減少を図ることができ、しかも、ダンパが、ハウジング内において当該ハウジングと回転体との間の隙間に配されたシリコーン系粘弾性体の粘弾性的変形を用いたものであるために、アクセルペダルの踏み込み時のアクセルペダルの踏み込み過ぎを抑止できて急発進を防止でき、アクセルペダルの踏み込み位置の維持に要する操作者の踏み込み力を軽減でき、加えて、アクセルペダルの踏み込み解除においてトラクタ等の過度の急制動を防止できる上に、シリコーン系粘弾性体を用いるために、摩耗の虞もなくすことができる。
【発明の効果】
【０００９】
本発明によれば、小型化及び部品点数の減少を図ることができ、しかも、アクセルペダルの踏み込み時のアクセルペダルの踏み込み過ぎを抑止できて急発進を防止でき、アクセルペダルの踏み込み位置の維持に要する操作者の踏み込み力を軽減でき、加えて、アクセルペダルの踏み込み解除においてトラクタ等の過度の急制動を防止でき、その上、摩耗の虞もなくし得るアクセルペダル装置及びこれに用いられるダンパを提供することができる。
【発明を実施するための最良の形態】
【００１０】
次に、本発明の実施の形態の例を、図に示す例に基づいて更に詳細に説明する。尚、本発明はこれらの例に何等限定されないのである。
【実施例】
【００１１】
図１から図６において、本例のトラクタ等の作業機用のアクセルペダル装置１は、踏み込み操作によりＲ１方向及びＲ２方向に正逆回動されるべく、トラクタ等の作業機のフレーム（車体）２にＲ１方向及びＲ２方向に回動自在に取り付けらたアクセルペダル３と、アクセルペダル３を初期回動位置に復帰させる復帰力を発生する復帰力発生手段４と、アクセルペダル３の正逆回動によりＲ１方向及びＲ２方向に正逆回転される回転軸５と、回転軸５を介してアクセルペダル３に連結されていると共にアクセルペダル３の正逆回動に対して抵抗力を与えるダンパ６とを具備している。
【００１２】
アクセルペダル３は、アーム部１１と、アーム部１１の前端部に一体的に設けられた前進用の踏み込み部１２と、アーム部１１の後端部に一体的に設けられた後進用の踏み込み部１３と、一端がアーム部１１の前後方向における略中央部１４に固着されていると共に他端が回転軸５に固着されている連結アーム１５とを具備している。
【００１３】
アクセルペダル３は、踏み込み部１２の踏み込み操作により回転軸５の軸心１６の周りでＲ１方向に正回動する一方、踏み込み部１３の踏み込み操作により回転軸５の軸心１６の周りでＲ２方向に逆回動するようになっている。
【００１４】
復帰力発生手段４は、一端が踏み込み部１２側のアーム部１１に、他端がフレーム２に夫々連結されたコイルばね１７と、一端が踏み込み部１３側のアーム部１１に、他端がフレーム２に夫々連結されたコイルばね１８とを具備している。
【００１５】
復帰力発生手段４は、踏み込み部１２及び１３に踏み込み力が付与されない場合には、アーム部１１を初期回動位置（図１及び図２に示す位置）にコイルばね１７及び１８により弾性的に維持し、踏み込み部１２又は１３に踏み込み力が付与されてアーム部１１がＲ１方向又はＲ２方向に回動される場合には、アーム部１１を初期回動位置に復帰させる弾性復帰力をコイルばね１７及び１８の伸縮により発生するようになっている。
【００１６】
復帰力発生手段４としては、斯かる例に限定されないのであって、図７に示すものなどその他の公知のものを用いることができる。
【００１７】
フレーム２に回転自在に支持された回転軸５は、アクセルペダル３のＲ１方向の回動により軸心１６を中心としてＲ１方向に正回転され、アクセルペダル３のＲ２方向の回動により軸心１６を中心としてＲ２方向に逆回転されるようになっている。
【００１８】
ダンパ６は、特に、図３及び図４に示すように、フレーム２に固定されるハウジング２１と、ハウジング２１内に設けられていると共に回転軸５の一端部２２が嵌合された孔２３を有した回転体２４と、ハウジング２１内に当該ハウジング２１に螺合して設けられた蓋部材２５と、ハウジング２１内において当該ハウジング２１と回転体２４との間の隙間に配されたシリコーン系粘弾性体２６と、回転体２４と蓋部材２５との間の円環状の空間２７に嵌装されたＯリング等のシール２８とを具備している。
【００１９】
ハウジング２１、回転体２４及び蓋部材２５は、金属製であっても、合成樹脂製であってもよいが、好ましくは、合成樹脂製であり、粘弾性的変形で抵抗力を発生するシリコーン系粘弾性体において、それが高粘度を有している場合には、流動性が極めて低くなるので、場合によりシール２８を用いないでダンパ６を形成してもよい。
【００２０】
ハウジング２１は、円筒状の大径本体部３１と、大径本体部３１の軸方向の一方の円環状の端部に一体的に形成された円環状部３２と、円環状部３２に軸方向の一方の円環状の端部で一体的に形成されていると共に軸方向の円環状の他方の端部に円板状の底部３３を一体的に有した円筒状の有底小径本体部３４と、大径本体部３１の軸方向の他方の円環状の端部に一体的に形成された鍔部３５と、円環状部３２の軸方向の円環状内面３６に一体的に形成されていると共に軸方向に突出した円環状突起部３７とを具備している。
【００２１】
ハウジング２１は、鍔部３５に形成された貫通孔３８に挿通されたボルト３９によりフレーム２に固定されるようになっている。
【００２２】
ハウジング２１内に軸心１６を中心としてＲ１方向及びＲ２方向に正逆回転自在に配された回転体２４は、円板状の底部５１を軸方向の一方の円環状の端部に一体的に有していると共に軸方向の一方の円環状の端部側でハウジング２１の有底小径本体部３４内に軸心１６を中心としてＲ１方向及びＲ２方向に正逆回転自在に配された円筒状の有底大径本体部５２と、有底大径本体部５２の軸方向の他方の円環状の端部に一体的に形成された円筒状の小径本体部５３と、有底大径本体部５２の軸方向の一方の円環状の端部と他方の円環状の端部との間において当該有底大径本体部５２の径方向の円筒状の外面５４に当該外面５４から径方向外方向に突出して一体的に形成されていると共に軸方向の一方の円環状側面５５でハウジング２１の円環状突起部３７に軸心１６を中心としてＲ１方向及びＲ２方向に摺動自在に接触した円環状突起板部５６とを具備しており、回転軸５の一端部２２が嵌合された孔２３は、有底大径本体部５２及び小径本体部５３の径方向の内周面５７で規定されている。
【００２３】
蓋部材２５は、径方向の円筒状の外面７１の雄ねじ部７２でハウジング２１の大径本体部３１の径方向の円筒状の内面７３の雌ねじ部７４に螺合した円筒状の大径本体部７５と、径方向の一方の円環状の端部で大径本体部７５の軸方向の一方の円環状の端部に一体的に形成されている円環状部７６と、軸方向の一方の円環状の端部で円環状部７６の径方向の他方の円環状の端部に一体的に形成されている共に径方向の円筒状の内面７７で有底大径本体部５２の円筒状の外面５４に軸心１６を中心としてＲ１方向及びＲ２方向に摺動自在に接触した円筒状の小径本体部７８と、軸方向の一方の円環状の端部で小径本体部７８の軸方向の他方の円環状の端部に段部７９を介して一体的に形成されている共に径方向の円筒状の内面８０で小径本体部５３の径方向の円筒状の外面８１に軸心１６を中心としてＲ１方向及びＲ２方向に摺動自在に接触した円筒状の支持部８２と、円環状部７６の軸方向の円環状の外面８３に一体的に形成されていると共に軸方向に突出して円環状突起板部５６の軸方向の他方の円環状側面８４に軸心１６を中心としてＲ１方向及びＲ２方向に摺動自在に接触した円環状突起部８５と、一方の径方向の端部では、大径本体部７５の径方向の円筒状の内面８６に、他方の径方向の端部では、小径本体部７８及び支持部８２の径方向の円筒状の外面８７並びに円環状部７６の軸方向の円環状の内面８９に夫々一体的に形成されていると共に周方向（Ｒ１方向及びＲ２方向）に互いに離間して配された複数の補強板部９０と、大径本体部７５の軸方向の他方の円環状の端部に一体的に形成されている環状の鍔部９１とを具備している。
【００２４】
蓋部材２５は、大径本体部３１への螺合後に、鍔部９１の部位９２及び９３で鍔部３５に超音波溶着されて、ハウジング２１に当該ハウジング２１に対して軸心１６を中心としてＲ１方向及びＲ２方向に回転しないように固着されている。
【００２５】
シリコーン系粘弾性体２６は、円環状突起部３７及び８５よりも径方向の外側であって、円環状突起板部５６の円環状側面５５及び８４並びに径方向の環状円周面９５と、ハウジング２１の大径本体部３１の内面７３、ハウジング２１の円環状部３２の円環状内面３６及び蓋部材２５の円環状部７６の外面８３との間の隙間９６に加えて、有底小径本体部３４の内面９７及び小径本体部７８の内面７７と有底大径本体部５２の外面５４との間の隙間に配されている。
【００２６】
シール２８は、有底大径本体部５２の軸方向の環状の端面と支持部８２の軸方向の環状の端面との間の環状の空間２７に斯かる端面並びに小径本体部５３の外面８１及び小径本体部７８の内面７７にぴったりと接触して配されている。
【００２７】
以上のアクセルペダル装置１では、前進用の踏み込み部１２が踏み込み操作された場合には、アクセルペダル３がＲ１方向に回動され、この回動により回転軸５がＲ１方向に回転され、回転軸５のＲ１方向の回転により当該回転軸５が嵌着された回転体２４が同時的にＲ１方向に回転される。
【００２８】
回転軸５の回転に基づく回転体２４のハウジング２１及び蓋部材２５に対するＲ１方向の回転により隙間９６及び有底小径本体部３４の内面９７及び小径本体部７８の内面７７と有底大径本体部５２の外面５４との間の隙間に収容されたシリコーン系粘弾性体２６に回転方向における剪断力が与えられる結果、シリコーン系粘弾性体２６に粘弾性的変形が生じてアクセルペダル３のＲ１方向の回動に抗する抵抗力がアクセルペダル３に与えられ、アクセルペダルの踏み込み時におけるアクセルペダルの踏み込みに適宜な制動が与えられる。
【００２９】
アクセルペダル装置１では、前進用の踏み込み部１２の踏み込み操作が解除された場合には、アクセルペダル３は、コイルばね１７及び１８の弾性力に基づきＲ２方向に回動されて円滑に初期回動位置に復帰される。コイルばね１７及び１８の弾性力によるアクセルペダル３の初期回動位置に向かうＲ２方向の回動では、当該回動によりシリコーン系粘弾性体２６に粘弾性的変形に基づくアクセルペダル３のＲ２方向の回動に抗する抵抗力が発生して、アクセルペダル３の過度に急速な初期回動位置への回動復帰が防止され、しかも、踏み込み部１２の踏み込み後に当該踏み込み部１２の踏み込み力を多少減少させた場合でも、シリコーン系粘弾性体２６の粘弾性に基づく抵抗力により踏み込み部１２の踏み込み量でのアクセルペダル３の回動位置は維持される。
【００３０】
アクセルペダル装置１では、後進用の踏み込み部１３が踏み込み操作された場合も以上と同様である。
【００３１】
以上の通りアクセルペダル装置１によれば、回転軸５を介してアクセルペダル３に連結されていると共にアクセルペダル３のＲ１方向及びＲ２方向の正逆回動に対して抵抗力を与えるダンパ６が、フレーム２に固定されるようになっているハウジング２１と、ハウジング２１内に設けられていると共に回転軸５の一端部２２が嵌合された孔２３を有した回転体２４と、ハウジング２１内に当該ハウジング２１に螺合して設けられた蓋部材２５と、ハウジング２１内において当該ハウジング２１と回転体２４との間の隙間９６等に配されたシリコーン系粘弾性体２６とを具備したものであるために、ダンパ６を多くの部材を介さずにアクセルペダル３に連結することができ、アクセルペダル３の正逆回動に基づく回転軸５の正逆回転によりダンパ６を作動させることができ、而して、小型化及び部品点数の減少を図ることができ、しかも、ダンパ６が、ハウジング２１内において当該ハウジング２１と回転体２４及び蓋部材２５との間の隙間９６等に配されたシリコーン系粘弾性体２６の粘弾性及び粘弾性的変形を用いたものであるために、アクセルペダルの踏み込み時のアクセルペダル３の踏み込み過ぎを抑止できて急発進を防止でき、アクセルペダル３の踏み込み位置の維持に要する操作者の踏み込み力を軽減でき、加えて、アクセルペダル３の踏み込み解除においてトラクタ等の過度の急制動を防止できる上に、摩耗の虞もない。
【図面の簡単な説明】
【００３２】
【図１】本発明の実施の形態の例の平面説明図である。
【図２】図１に示す例の側面説明図である。
【図３】図１に示す例のダンパの断面拡大説明図である。
【図４】図３に示すダンパの右側面説明図である。
【図５】図３に示すダンパの回転体の説明図である。
【図６】図３に示すダンパの蓋部材の説明図である。
【図７】従来におけるアクセルペダル装置の説明図である。
【符号の説明】
【００３３】
１  アクセルペダル装置
２  フレーム
３  アクセルペダル
４  復帰力発生手段
５  回転軸
６  ダンパ
２１  ハウジング
２２  一端部
２３  孔
２４  回転体
２５  蓋部材
２６  シリコーン系粘弾性体
【図１】
2008114668.tif 000003
【図２】
2008114668.tif 000004
【図３】
2008114668.tif 000005
【図４】
2008114668.tif 000006
【図５】
2008114668.tif 000007
【図６】
2008114668.tif 000008
【図７】
2008114668.tif 000009